(57)【要約】【目的】洗濯物を干す際の腰や膝への負担を軽減することが可能であり、しかも容易に洗濯物を取り出すことが可能な洗濯物収納具を提供することを目的とする。【構成】請求項１記載の発明は次の二部材により構成した。棒体と棒体上部に設けられたフックと棒体下部に設けられた環部材とにより成る吊り下げ棒。斜め上方に伸びるフックをかご体の側壁に設けた洗濯かご。請求項２記載の発明は、請求項１記載の発明における棒体を伸縮自在なものとした。請求項３記載の発明は、請求項１或いは２に記載の発明における環部材を回動自在なものとした。請求項４記載の発明は、請求項１乃至３に記載の発明における、フックを設けた側壁に対向する側壁の高さを、フックを設けた側壁に比し高くした。【選択図】        図５
2006141871.tif 000002
【特許請求の範囲】
【請求項１】
棒体、棒体上部に設けられたフック及び棒体下部に設けられた環部材とにより成る吊り下げ棒と、
斜め上方に延出するフックをかご体の側壁に設けた洗濯かごと、
により成る洗濯物収納具。
【請求項２】
棒体を伸縮自在としたことを特徴とする請求項１記載の洗濯物収納具。
【請求項３】
環部材を回動自在とした請求項１或いは請求項２に記載の洗濯物収納具。
【請求項４】
フックを設けた側壁に対向する側壁の高さを、フックを設けた側壁に比し高くしたことを特徴とする請求項１乃至３に記載の洗濯物収納具。  
【発明の詳細な説明】
【技術分野】
【０００１】
本発明は洗濯かご、及び当該洗濯かごを吊り下げて物干し竿などに懸吊するための吊り下げ棒とにより成る洗濯物収納具に関する。
【背景技術】
【０００２】
洗濯物は一旦洗濯機から洗濯かごに移し替え、当該洗濯かごをもって干場に移動し、物干し竿に干すものである。
【０００３】
この際、洗濯かごから洗濯物を取り出し、物干し竿に干すという作業は行為者にとって負担の大きいものである。すなわち腰をかがめ或いはしゃがみ、洗濯かごから洗濯物を取り出し、物干し竿に干すという作業を繰り返し行わねばならず、腰や膝への負担が大きいのである。
【０００４】
係る不都合を回避するための発明として特開２００３−２４５４９６号公報記載の発明がある。同公報記載の発明は、脚部を用いて洗濯かごを接地面から浮上させるというものである。
【特許文献１】特開２００３−２４５４９６号公報
【発明の開示】
【発明が解決しようとする課題】
【０００５】
本発明は上述の洗濯物を干す際の腰や膝への負担を軽減することが可能であり、しかも容易に洗濯物を取り出すことが可能な洗濯物収納具を提供することを目的とするものである。
【課題を解決するための手段】
【０００６】
上記課題を解決するために請求項１記載の発明は次の二部材により構成した。棒体と棒体上部に設けられたフックと棒体下部に設けられた環部材とにより成る吊り下げ棒。斜め上方に延出するフックをかご体の側壁に設けた洗濯かご。
【０００７】
又請求項２記載の発明は、請求項１記載の発明における棒体を伸縮自在なものとした。
【０００８】
更には請求項３記載の発明は、請求項１或いは２に記載の発明における環部材を回動自在なものとした。
【０００９】
又請求項４記載の発明は、請求項１乃至３に記載の発明における、フックを設けた側壁に対向する側壁の高さを、フックを設けた側壁に比し高くした。
【発明の効果】
【００１０】
以下、上述のように構成される本発明が如何にして課題を解決する効果を有するかを、図面を参照しながら述べる。
【００１１】
図１はかご体の正面図であり、図２は同斜視図であり、図３ａは棒体の正面図であり、図３ｂは棒体を伸ばした状態の正面図であり、図３ｃは環部材を９０度回動させた状態の正面図であり、図４は棒体の斜視図であり、図５は使用状態図である。
【００１２】
本発明は図５に示すように、物干し竿３０に洗濯かご２０を懸吊して使用するものである。よって、洗濯かご２０を空中位置に設置できることから、腰をかがめ或いはしゃがまずに洗濯物を取り出すことが可能とるのである。
【００１３】
又、洗濯かご２０は図２に示すように、その側壁２１に斜め上方に延出したフック２２が設けられており、このフック２２を吊り下げ棒１０を構成する環部材１２に係止して懸吊するものである。そしてフック２２が斜め上方に伸びる形状に設けられていることから、洗濯かご２０は図５に示すように傾斜した状態で懸吊されることになるのである。よって洗濯かご２０の開口部が傾斜した状態になり、容易に洗濯物を取り出すことが可能となるのである。
【００１４】
加えて請求項２記載の発明においては吊り下げ棒１０を構成する棒体１３を、図３ａ及び図３ｂに示すように伸縮自在なものとしている。これにより洗濯かご２０を吊り下げる高さを調整することが可能となり、より使い勝手に富むものとなるのである。
【００１５】
又請求項３記載の発明においては図３aや図３cに示すように吊り下げ棒１０を構成する環部材１２を回動自在なものとしている。これにより洗濯かご２０を懸吊する角度を任意に変更できより使い勝手に富むものとなるのである。
【００１６】
更には請求項４記載の発明においては、フック２２を設けた側壁２１に対向する側壁２３の高さを、側壁２１より高くしてある。図５に示すように洗濯かご２０を懸吊した際には、側壁２３は常に側壁２１の下方に位置することになる。つまり洗濯かご２０内に収納された洗濯物が、側壁２３に当接することになる。
【００１７】
そして請求項４記載の発明においてはこの側壁２３の高さを高いものとしていることから、洗濯ものが洗濯かご２０内からこぼれ落ちることを可及的に防止できるのである。つまり、より使い勝手に富む洗濯物収納具の提供が可能となるのである。
【発明を実施するための最良の形態】
【００１８】
一、  以下、好ましい発明の実施形態につき洗濯かご、吊り下げ棒に分けて述べる。
【００１９】
二、  洗濯かご
洗濯かご２０は図１，図２に示すように上面が開放されたかご体である。そして側壁には通気性を得るため多数の孔部２４が設けられている。
【００２０】
側壁の一つにはフック２２が斜め上方に延出されている。フック２２を設けた側壁２１に対向する側壁２３の高さは、側壁２１より高くしてある。
【００２１】
又、側壁２１に直交する両側壁２５，２６には、それぞれ鍔部２７が側壁外部に延出する形状で設けられている。更には側壁２５，２６にわたり略コ字状の持ち手部２８が回動自在に設けられている。鍔部２７、持ち手部２８共に、洗濯かご２０の運搬を容易にするために設けられるものである。
【００２２】
三、  吊り下げ棒
吊り下げ棒１０はフック１１、棒体１３及び環部材１２を主な構成要素とするものである。
【００２３】
フック１１と棒体１３は固定されている。棒体１３と環部材１２とは、請求項１記載の発明においては固定されている。請求項３記載の発明においては、環部材１２は棒体１３の垂直軸芯方向の仮想中心軸を中心として回動自在に設けられている。
【００２４】
環部材１２は略三角形状、且つ、一頂点を下方向に向けた孔部１２aを有するものである。孔部１２aの形状をかように設けているのは、洗濯かご２０のフック２２を係止したときに洗濯かご２０を安定して支持することを可能とするためである。
【００２５】
請求項２記載の発明における棒体１３は伸縮自在に設けてある。伸縮自在とする方法は中空の棒体１３の中に、同じく中空である棒体１４を緩挿することによる。棒体１４には複数の孔部１４aが設けてあり、ネジ１５を差し込む位置を変えることで伸縮自在とするのである。
【図面の簡単な説明】
【００２６】
【図１】かご体の正面図。
【図２】同斜視図。
【図３】a  棒体の正面図                                                            b  棒体を伸ばした状態の正面図。                                             c  環部材を９０度回動させた状態の正面図。
【図４】棒体の斜視図。
【図５】使用状態図。
【符号の説明】
【００２７】
１０・・吊り下げ棒      １１・・フック      
１２・・環部材      １３・・棒体
２０・・洗濯かご      ２１・・側壁
２２・・フック      ２３・・側壁
【図１】
2006141871.tif 000003
【図２】
2006141871.tif 000004
【図３】
2006141871.tif 000005
【図４】
2006141871.tif 000006
【図５】
2006141871.tif 000007